(57)【特許請求の範囲】
【請求項１】
物流倉庫（ｆｕｌｆｉｌｌｍｅｎｔ  ｃｅｎｔｅｒ）の搬出（ｃａｒｒｉｎｇ  ｏｕｔ）を管理する電子装置（ｅｌｅｃｔｒｏｎｉｃ  ａｐｐａｒａｔｕｓ）の制御方法（ｃｏｎｔｒｏｌｌｉｎｇ  ｍｅｔｈｏｄ）において、
前記物流倉庫に配置された商品（ｉｔｅｍ）に関連する搬出要請情報を獲得（ａｃｑｕｉｒｅ）する段階と、
前記獲得された搬出要請情報を基に業者（ｖｅｎｄｏｒ）別に搬出情報を生成（ｇｅｎｅｒａｔｅ）する段階と、
前記生成された搬出情報のうち少なくとも一つを端末に提供（ｐｒｏｖｉｄｅ）する段階と、
前記提供された搬出情報に対応して、前記端末から搬出処理応答情報を受信（ｒｅｃｅｉｖｅ）する段階と、
前記搬出処理応答情報に対応する商品の状態情報を生成（ｇｅｎｅｒａｔｅ）する段階とを含む、電子装置であって、
前記業者別の前記搬出情報は、前記物流倉庫内の前記商品の配置位置に基づいて前記商品の配置位置間の距離を考慮して生成される、電子装置。
【請求項２】
前記端末に提供される少なくとも一つの搬出情報を用いて、商品のピッキングを随行する段階と、
前記ピッキングされた商品に関連するトートを確認する段階をさらに含み、
前記トートは、特定の業者に対応する、請求項１に記載の電子装置。
【請求項３】
前記確認されたトートに対応する搬出商品情報を確認する段階をさらに含む、請求項２に記載の電子装置。
【請求項４】
前記搬出商品情報の確認に対応して、前記搬出商品情報に対応する業者用電子装置に前記搬出商品情報を転送する段階をさらに含む、請求項３に記載電子装置。
【請求項５】
前記搬出商品情報の確認に対応して前記搬出商品情報に関連する精算情報を生成する段階をさらに含む、請求項３に記載の電子装置。
【請求項６】
前記物流倉庫に再入庫される商品情報を確認する段階と、
前記確認された商品情報および前記確認された商品情報に対応する状態情報を基に再入庫される商品のうち少なくとも一つの追加搬出情報を生成する段階をさらに含む、請求項１に記載の電子装置。
【請求項７】
前記追加搬出情報を生成する段階は、
前記確認された商品情報に対応する商品の状態情報が第１状態情報を含むか否かを確認する段階と、
前記商品の搬出状態が前記第１状態情報を含む場合、前記確認された商品情報に対する前記追加搬出情報を生成する段階を含む、請求項６に記載の電子装置。
【請求項８】
前記商品の状態情報を生成する段階は、
前記搬出要請情報と前記搬出処理応答情報に基づいて、前記提供された搬出情報に対応する商品の数量誤差を確認する段階と、
前記確認された商品の数量誤差を基に、前記商品の状態情報を生成する段階を含む、請求項１に記載の電子装置。
【請求項９】
前記搬出処理応答情報は、搬出処理が随行された商品の数量情報、前記搬出処理が随行された商品のイメージ情報、前記搬出処理に関連する担当者情報及び前記搬出処理の状態情報のうち少なくとも一つを含む、請求項１に記載の電子装置。
【請求項１０】
前記商品の状態情報を生成する段階は、
前記搬出処理応答情報を獲得すると、前記の搬出処理が随行された商品の数量情報を基に前記電子装置に既格納された商品の数量情報をアップデートする段階を含む、請求項９に記載の電子装置。
【請求項１１】
前記搬出要請情報は、搬出商品の名称、搬出商品の業者名、搬出数量、搬出締切期限、搬出商品の仕入れの有無、搬出に用いられる運賃費のうち少なくとも一つの情報を含む、請求項１に記載の電子装置。
【請求項１２】
前記商品の状態情報は、搬出対象商品の残りの数量、搬出要請数量、搬出完了数量、搬出処理段階、商品の数量誤差及び仮想搬出数量のうち少なくとも一つに対する情報を含み、前記仮想搬出数量は、前記搬出処理応答情報に基づいて、前記搬出対象商品の残りの数量または前記搬出要請数量を調整するために用いられる、請求項１に記載の電子装置。
【請求項１３】
請求項１に記載の方法をコンピュータで実行させるためのプログラムを記録したコンピュータで読み取り可能な非一時的記録媒体。
【請求項１４】
物流倉庫の搬出を管理する電子装置において、
命令語を格納するメモリと、
プロセッサとを含み、
前記プロセッサは、前記メモリと連結され、
前記物流倉庫に配置された商品に関連する搬出要請情報を獲得し、
前記獲得された搬出要請情報を基に、業者別に、かつ前記物流倉庫内の前記商品の配置位置に基づいて前記商品の配置位置間の距離を考慮して搬出情報を生成し、
前記生成された搬出情報のうち少なくとも一つを端末に提供し、
前記端末から前記提供された搬出情報に対応して搬出処理応答情報を受信し、
前記搬出処理応答情報に対応する商品の状態情報を生成する、
電子装置。
【発明の詳細な説明】
【技術分野】
【０００１】
本開示は、物流倉庫（ｆｕｌｆｉｌｌｍｅｎｔ  ｃｅｎｔｅｒ）から業者（ｖｅｎｄｏｒ）に向かう商品（ｉｔｅｍ）搬出を管理する電子装置及びその制御方法に関する。
【背景技術】
【０００２】
電子技術の発達により、電子商取引はショッピングの一分野として位置づけされた。顧客は、直接ショッピングモールや市場に行かなくても、オンラインで物品を購買することができ、オンラインで購買した物品は、顧客が要請した配送先に配送される。
【０００３】
このような電子商取引の場合は、商品配送の速度がサービス満足度に相当な影響を与えるため、より迅速に顧客に商品を配送するための様々な方案について議論が行われている。このように迅速な配送のための方法の一つとして、複数の地域に物流倉庫が設けられている。物流倉庫のそれぞれは、オンライン上で販売する、様々なものを保管しておいて、商品の購買が発生する場合、商品を購買した顧客の近くの物流倉庫から顧客に配送が行われるようにする。すなわち、商品の購買が発生する前に、様々な地域に商品を位置させた後、購買が発生すると、顧客の位置と隣接する物流倉庫から商品を出庫して配送することで、配送期間を短縮させる。
【０００４】
一方、場合によって、企業は電子商取引とは別の経路で商品を販売するために、物流倉庫に臨時で保管された商品をピッキングしたい場合が生じ得る。このように、物流倉庫から業者に再び商品が帰る場合を搬出と呼ぶことができる。
【発明の概要】
【発明が解決しようとする課題】
【０００５】
本実施例が解決しようとする課題は、搬出要請情報を基に業者別搬出情報を生成し、これを基に搬出が行われるようにすることで、業者に搬出情報提供を容易にするようにして、業者別搬出商品管理が効果的に行われるようにする電子装置及びその制御方法を提供することにある。
【０００６】
本実施例が解決しようとする技術的課題は、上記したような技術的課題に限定されず、以下の実施例から別の技術的課題が類推されることができる。
【課題を解決するための手段】
【０００７】
第１実施例によって、物流倉庫の搬出を管理する電子装置の制御方法は、上記物流倉庫に配置された商品に関連する搬出要請情報を獲得する段階と、上記獲得された搬出要請情報を基に業者別に搬出情報を生成する段階と、上記生成された搬出情報のうち少なくとも一つを端末に提供する段階と、上記端末から上記提供された搬出情報に対応して搬出処理応答情報を受信する段階と、前記搬出処理応答情報に対応する商品の状態情報を生成する段階とを含むことができる。
【０００８】
第２実施例によって、上記物流倉庫に配置された商品に関連する搬出要請情報を獲得する段階と、上記獲得された搬出要請情報を基に業者別に搬出情報を生成する段階と、上記生成された搬出情報のうち少なくとも一つを端末に提供する段階と、上記端末から上記提供された搬出情報に対応して搬出処理応答情報を受信する段階と、上記搬出処理応答情報に対応する商品の状態情報を生成する段階とを含む物流倉庫の搬出を管理する電子装置の制御方法をコンピュータで実行させるためのプログラムを記録したコンピュータで読み取り可能な非一時的記録媒体を含むことができる。
【０００９】
第３の実施例によって、物流倉庫の搬出を管理する電子装置は、命令語を格納するメモリと、プロセッサとを含み、上記プロセッサは、上記メモリと連結されて、上記物流倉庫に配置された商品に関連する搬出要請情報を獲得し、上記獲得された搬出要請情報を基に業者別に搬出情報を生成し、上記生成された搬出情報のうち少なくとも一つを端末に提供し、上記端末から上記提供された搬出情報に対応して搬出処理応答情報を受信し、上記搬出処理応答情報に対応する商品の状態情報を生成することができる。
【００１０】
その他の実施例の具体的な事項は、詳細な説明及び図面に含まれている。
【発明の効果】
【００１１】
本開示によると、物流倉庫の搬出を管理する電子装置及びその制御方法は、搬出要請情報を基に業者別搬出情報を生成し、これを基に搬出が行われるようにすることで、業者に搬出情報提供を容易にすることで、業者別搬出商品管理が効果的に行われるようにすることができる。
【００１２】
また、本開示によれば、搬出商品情報の確認に対応して搬出商品に対する情報が業者にリアルタイムで提供されるようにすることにより、搬出商品の管理が効果的に行われるようにすることができる。
【００１３】
発明の効果は以上で言及した効果に制限されず、言及されていない更に他の効果は、請求の範囲の記載から当該技術分野の通常の技術者に明確に理解されることができる。
【図面の簡単な説明】
【００１４】
【図１】一実施形態に係る物流倉庫の搬出を管理する電子装置の機能ブロック図である。
【図２】一実施形態に係る電子装置の制御方法のフローチャートである。
【図３】一実施形態に係る電子装置の搬出情報の例を説明するための図である。
【図４】一実施形態に係る電子装置で生成される商品の状態情報の例を説明するための図である。
【図５】一実施形態に係る電子装置から端末に情報が転送されることに基づいて、端末に提供される画面の例を説明するための図である。
【図６】一実施形態に係る電子装置で用いられる搬出処理応答情報を説明するための図である。
【図７】一実施形態に係る電子装置で用いられる搬出処理応答情報を説明するための図である。
【図８】一実施形態に係る電子装置で用いられる搬出処理応答情報を説明するための図である。
【図９】一実施形態に係る電子装置で搬出商品に関連するエラーが発生したことにより、提供される情報の例を説明するための図である。
【図１０】一実施形態に係る電子装置で搬出商品の上車が完了することに対応して獲得される情報の例を説明するための図である。
【図１１】一実施形態に係る電子装置で搬出処理応答情報を基に既格納された商品の数量情報をアップデートする例を説明するための図である。
【図１２】一実施形態に係る電子装置で搬出処理応答情報を基に既格納された商品の数量情報をアップデートする例を説明するための図である。
【発明を実施するための形態】
【００１５】
実施形態において使用される用語は、本開示での機能を考慮しつつ、できるだけ現在広く使用される一般的な用語を選択したが、これは当分野に従事する技術者の意図または判例、新しい技術の出現等によって変わり得る。また、特定の場合は、出願人が任意に選定した用語もあり、この場合、該当する説明の部分で詳細にその意味を記載する。したがって、本開示において使用される用語は、単純な用語の名称でなく、その用語が有する意味と本開示の全般にわたる内容に基づいて定義されなければならない。
【００１６】
明細書全体において或る部分が何らかの構成要素を「含む」というとき、これは、特に反対になる記載がない限り、他の構成要素を除外するものではなく、他の構成要素をさらに含むことができることを意味する。
【００１７】
明細書全体において記載された「ａ、ｂ、およびｃのうちの少なくとも１つ」の表現は、「ａ単独」、「ｂ単独」、「ｃ単独」、「ａおよびｂ」、「ａおよびｃ」、「ｂおよびｃ」、または「ａ、ｂ、およびｃ全部」を包括することができる。
【００１８】
以下で言及される「電子装置」は、電子装置と呼ばれることができ、ネットワークを介してサーバや他の電子装置に接続できるコンピュータや携帯用端末に具現されることができる。ここで、コンピュータは、例えば、Ｗｅｂブラウザが搭載されたノートパソコン、デスクトップ（ｄｅｓｋｔｏｐ）、ラップトップ（ｌａｐｔｏｐ）などを含み、携帯端末は、例えば、携帯性と移動性が保障される無線通信装置であって、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）などの通信基盤端末、スマートフォン、タブレットＰＣなどのすべての種類のハンドヘルド（Ｈａｎｄｈｅｌｄ）基盤の無線通信装置を含むことができる。
【００１９】
以下では、添付した図面を参照して、本開示の実施例について本開示が属する技術分野で通常の知識を有する者が容易に実施できるように詳細に説明する。しかし、本開示は、いくつかの異なる形態で具現されることができ、ここで説明する実施例に限定されない。
【００２０】
以下では、図面を参照して、本開示の実施例を詳細に説明する。
【００２１】
図１は、一実施例に係る物流倉庫の搬出を管理する電子装置の機能ブロック図である。図１には、本実施例に関連する構成要素が図示されているが、これらに限定されるものではなく、図１に図示された構成要素に加えて、他の汎用的な構成要素がさらに含まれることができる。
【００２２】
図１を参照すると、電子装置１００は、メモリ１１０およびプロセッサ１２０を含むことができる。図１に図示された各要素（ｅｌｅｍｅｎｔ）は、少なくとも一つの機能や動作を処理する単位を意味し、これはハードウェアやソフトウェア、またはハードウェアおよびソフトウェアの結合によって具現されることができる。
【００２３】
実施例によって、図１の電子装置１００は、サーバ、コンピュータ、または端末で具現されることができ、電子装置１００の具現方式により本明細書が限定されてはいない。
【００２４】
メモリ１１０は、電子装置１００に関連する様々なデータを格納することができる。例えば、メモリ１１０は、電子装置１００の動作のための少なくとも一つの命令語（ｉｎｓｔｒｕｃｔｉｏｎ）を格納することができる。このような場合、後述するプロセッサ１２０は、メモリ１１０に格納された命令語に基づいて、様々な動作を遂行することができる。
【００２５】
実施例で、メモリ１１０は、物流倉庫（ｆｕｌｆｉｌｌｍｅｎｔ  ｃｅｎｔｅｒ）に位置される商品に対する情報を格納することができる。例えば、メモリ１１０は、物流倉庫に入庫された商品の数量、名称、入庫時期、価格、流通期限、物流倉庫内の陳列位置及び業者名のうち少なくとも一つに対する情報を含むことができる。ただし、これに制限されるものではなく、商品に関連した様々な情報が格納されることができる。
【００２６】
プロセッサ１２０は、電子装置１００の全体的な動作を制御することができる。例えば、プロセッサ１２０は、メモリ１１０に格納された命令語に基づいて、電子装置１００の要素を制御することにより、電子装置１００の動作を制御することができる。
【００２７】
プロセッサ１２０は、物流倉庫に配置された商品に関連する搬出要請情報を獲得することができる。プロセッサ１２０は、他の装置から搬出要請情報が受信されることに対応して搬出要請情報を獲得することができる。搬出要請情報は、搬出対象となる少なくとも一つの商品に対する情報で、例えば、搬出商品の名称、搬出商品の業者名、搬出数量、搬出締切期限、搬出商品の仕入れの有無、搬出に用いられる運賃費のうち少なくとも一つに対する情報を含むことができる。
【００２８】
搬出要請情報は、他の装置から生成され、電子装置１００に受信されることができるが、これらに制限されるものではなく、様々な方式で獲得されることができる。例えば、搬出要請情報は、ユーザーの入力に基づいて、電子装置１００から生成されるに基づいて獲得することができる。他の例を挙げると搬出要請情報は、物流倉庫に配置される商品の配置期間を基に自動的に生成することができる。例えば、物流倉庫に格納された期間が期指定された期間以上の商品について搬出要請情報が生成されることができる。このとき、物流倉庫に格納された期間は、物流倉庫に商品が入庫された日付を基に算出することができる。
【００２９】
プロセッサ１２０は、搬出要請情報を基に業者別に搬出情報を生成することができる。具体的には、プロセッサ１２０は、搬出要請情報を獲得すると、搬出要請情報を業者別に区分して業者別搬出情報を生成することができる。例えば、搬出要請情報が業者Ａ、Ｂ、Ｃ、それぞれに関連する商品の搬出を要請する情報を含む場合、プロセッサ１２０は、搬出要請情報に含まれる搬出対象となる商品を業者Ａ、Ｂ、Ｃ、それぞれに区分して搬出情報を生成することができる。
【００３０】
実施例で、プロセッサ１２０は、物流倉庫内の商品の配置位置を基に業者別搬出情報を生成することができる。具体的には、プロセッサ１２０は、業者別に搬出対象商品を区分するが、搬出対象商品の物流倉庫内の位置を反映して搬出対象商品をグルーピングし、グループ化された情報が含まれるように搬出情報を生成することができる。
【００３１】
例えば、プロセッサ１２０は、業者Ａに関連する第１搬出情報及び第２搬出情報を生成することができる。第１搬出情報及び第２搬出情報のそれぞれに該当する商品はすべて業者Ａの商品であることができる。第１搬出情報に該当する少なくとも一つの商品の位置と第２搬出情報に該当する少なくとも一つの商品の位置は異なり得る。場合によっては、第１搬出情報に該当する少なくとも一つの商品の一部の位置は異なることができるものの、残りの商品と特定の半径内に位置されることで、作業者が特別な困難なく搬出対象商品をピッキング（または集品）することができる。一方、第２搬出情報に対応する商品は、第１搬出情報に対応する商品から特定の距離を超過するところに配置されるものであり得る 。
【００３２】
このように業者Ａに関連して互いに別の位置に対する複数の搬出情報が生成される場合、各搬出情報は、別の作業者の端末に提供されることができる。例えば、第１搬出情報は、第１搬出情報に関連する位置の第１の端末へ提供され、第２搬出情報は第２搬出情報に関連する位置の第２端末へ提供され、ピッキングが効率的に行われるようにすることができる。
【００３３】
実施例で、搬出情報は、搬出商品に関連して既指定された業者との契約の種類に応じて生成されることができる。例えば、物流倉庫に格納された会社Ａの第１商品は仕入れ方法で物流倉庫に格納される第１類型であり、業者Ａの第２商品は仕入れなく、単純な格納方法で物流倉庫に格納される第２類型である場合、搬出情報は業者別に区分するが、商品の契約類型を反映して生成されることができる。このような場合、業者Ａの第１搬出情報は、第１類型の商品に対する搬出情報を含み、業者Ａの第２搬出情報は、第２類型の商品に対する搬出情報を含むことができる。
【００３４】
プロセッサ１２０は、搬出情報のうち少なくとも一つを端末に提供することができる。例えば、プロセッサ１２０は、生成された業者別搬出情報のうち業者Ａに対する搬出情報を第１端末に提供することができる。このような場合、第１端末は、業者Ａの搬出対象商品をピッキングする作業者の端末であることができる。別の例を挙げると、プロセッサ１２０は、生成された業者別搬出情報を全て第１端末に提供することができる。このような場合、第１端末のユーザーは、提供された情報のうち作業を随行する業者の搬出情報、例えば、業者Ａの搬出情報を選択して確認することができる。
【００３５】
プロセッサ１２０は、端末から搬出処理応答情報を受信することができる。具体的には、プロセッサ１２０は、端末に業者別搬出情報のうち少なくとも一つを提供することに基づいて、提供された搬出情報に対応する搬出処理応答情報を受信することができる。搬出処理応答情報は、端末に提供された搬出情報に対応する商品の搬出処理に関連する情報を含むことができる。例えば、搬出処理応答情報は、搬出処理が随行された商品の数量情報、搬出処理が随行された商品のイメージ情報、搬出処理に関連する担当者情報及び搬出処理の状態情報のうち少なくとも一つを含むことができる。
【００３６】
ここで、搬出処理が随行された商品の数量情報は、物流倉庫内で実際に搬出処理が随行された商品の個数を含むことができる。場合によって、物流倉庫内には、搬出要請情報が示す商品の数量よりも少ない数量が配置されていることができ、このような場合、搬出処理が随行された商品の数量情報は、搬出要請情報が示す数量より少ない数量に対する情報を含むことができる。
【００３７】
搬出処理が随行された商品のイメージ情報は、搬出情報が提供されるに基づいて搬出処理が行われた場合、搬出処理状況で獲得されたイメージ情報を含むことができる。例えば、搬出情報がピッキング段階で提供され搬出商品のピッキングが行われた場合、搬出処理が随行された商品のイメージ情報は、商品がピッキングされてトート（ｔｏｔｅ）に入れられた状態を示すイメージ情報を含むことができる。このようなイメージは、端末によって獲得されたものである可能性があるが、これに制限されるものではない。万一、搬出情報が上車段階で提供されて搬出商品の上車が行われた場合、搬出処理が随行された商品のイメージ情報は、商品がトラックに載っている状態、商品が宅配を通じて業者に輸送される場合には、送り状情報及び商品を載せたトラックのうち少なくとも一つを表すイメージ情報を含むことができる。ここで、上車段階は、業者に商品が配送される直前の段階であって、商品を輸送するトラックに商品が移される段階を含むことができる。
【００３８】
搬出処理に関連する担当者の情報は、搬出情報が提供された端末を所持した作業者に対する情報を含むことができる。場合によって、端末と作業者が一致しない可能性があるものの、このような場合、担当者の情報は、搬出情報に対応する作業を随行した実際の作業者を示す情報を含むことができるが、これに制限されるものではない。
【００３９】
プロセッサ１２０は、搬出処理応答情報に対応する商品の状態情報を生成することができる。プロセッサ２３０は、搬出処理応答情報を受信すると、搬出処理応答情報に対応する商品の搬出状態を示す状態情報を生成することができる。状態情報は、例えば、搬出対象商品の残りの数量、搬出要請数量、搬出完了数量、搬出処理段階、商品の数量誤差及び仮想搬出数量の少なくとも１つに対する情報を含むことができる。
【００４０】
実施例で、プロセッサ１２０は、搬出処理応答情報を獲得すると搬出処理が随行された商品の数量情報を基に、電子装置１００に既格納された商品の数量情報をアップデートすることができる。例えば、プロセッサ１２０は、搬出処理応答情報を獲得すると、既格納された商品の数量で搬出処理が随行された商品の数量を差し引いて、物流倉庫内に残った商品の数量情報をアップデートすることができる。
【００４１】
一方、場合によっては搬出要請情報に対応する商品の数量が既格納された商品の数量を超えることができる。例えば、搬出要請情報は、商品ａを３０個搬出するように情報を含むことができるが、既格納された商品ａの数量情報は２７個であり得る。このような状況は、電子装置１００に既格納された商品の数量にエラーがあるため発生した可能性がある。このような場合に関連して、実施例でプロセッサ１２０は、搬出要請情報と搬出処理応答情報に基づいて提供された搬出情報に対応する商品の数量誤差を確認することができる。プロセッサ１２０は、確認された商品の数量誤差を基に商品の状態情報を生成することができる。例えば、プロセッサ１２０は、商品ａの数量誤差が３と確認される場合、商品ａの商品数量誤差情報を３として生成することができる。
【００４２】
実施例で、プロセッサ１２０は既格納された商品の数量または搬出要請情報に対応する商品の数量を調整することができる。例えば、プロセッサ１２０は、増減しようとする数量情報を獲得することができ、獲得された数量情報に基づいて既格納された商品の数量または搬出要請情報に対応する商品の数量を調整することができる。例えば、プロセッサ１２０は、第１商品の仮想上車項目に入力される数量が２である場合、電子装置１００に既格納された第１商品の数量を２だけ減少させるか、第１商品に対応する搬出要請数量を２だけ減少させることができる。別の例を挙げると、プロセッサ１２０は、第１商品の仮想上車項目に入力される数量が２である場合、第１商品の２個に対して実際に上車が行われなかったが、上車が完了したものとして処理することができる。これに関連した具体的な例は、図１１及び図１２を参照することができる。
【００４３】
実施例で、プロセッサ１２０は、端末に提供される少なくとも一つの搬出情報を用いて、商品のピッキングを随行することができる。場合によって、端末は物流倉庫内の既指定された位置に配置され、特定の領域に配置された商品の入出庫を管理することができる。このような場合、端末に搬出情報が提供されるに対応して端末は提供された搬出情報に該当する商品をピッキングすることができる。商品のピッキングは、様々な方法、例えば、ロボットまたはコンベアを用いて行われることができるが、これに制限されない。ロボットまたはコンベアを用いてピッキングが行われる場合、端末はロボットまたはコンベアとの連結を基にピッキング動作を制御することができる。
【００４４】
場合によって、端末が作業者が所持する装置である場合、搬出情報が端末に提供されるに基づいて、作業者にとって搬出情報に対応する商品のピッキングが随行されるよう要請することができる。
【００４５】
実施例で、ピッキングされた商品は、トートに入れられることができる。トートは、例えば搬出情報が表す搬出対象商品がピッキングされて入れられた一種のバスケットで、コンベアまたはロボットを通じてピッキングされた商品がトートに入れられることができる。ピッキングされた商品がトートに入れられる場合、端末はトートに入れられた商品に対する情報を生成し、生成された情報をトート別にマッピングすることができる。例えば、端末はトートに入れられた商品に対する情報を示すバーコードがトートに付着されるようにすることができる。
【００４６】
実施例で、端末に搬出情報が提供されるに基づいて、作業者は物流倉庫から搬出情報に対応する商品をピッキングしてトートに入れることができる。このとき、トート一つに入れられる商品は同一の業者の商品であることができる。トートに商品を入れた後、作業者は、端末を通じてトートに入れられた商品のバーコードを出力してトートに付着することができる。
【００４７】
実施例で、プロセッサ１２０はピッキングされた商品に関連するトートを確認することができる。例えば、端末を通じてトートに付着されたバーコードが認識されたことに対応して、プロセッサ１２０はピッキングされた商品に関連するトートを確認することができる。場合によって、トートは業者別に区分、すなわち一つのトートには、１つの業者の商品が入れられるようになるが、このような場合、確認されたトートは特定業者に対応することができる。
【００４８】
実施例で、プロセッサ１２０は、確認されたトートに対応する搬出商品情報を確認することができる。トートに対応する搬出商品情報は、トートに入れられた商品の数量、商品名、および業者のうち少なくとも一つに対する情報を含むことができる。
【００４９】
実施例で、プロセッサ１２０は、搬出商品情報の確認に対応して搬出商品情報に対応する業者用電子装置に搬出商品情報を転送することができる。電子装置１００は、業者別に対応する業者用電子装置に対する情報を格納することができ、プロセッサ１２０は、搬出商品情報が確認されると、搬出商品情報に対応する業者の業者用電子装置に搬出商品情報を転送することができる。このような場合、業者側でも搬出商品の状態をリアルタイムで知ることができ、より効果的に搬出商品管理が可能であり得る。
【００５０】
実施例で、プロセッサ１２０は、搬出商品情報の確認に対応して搬出商品情報に関する精算情報を生成することができる。例えば、プロセッサ１２０は、搬出商品情報が示す搬出商品の搬出状態が搬出完了状態である場合、搬出商品に対する精算情報を生成することができる。プロセッサ１２０は、生成された精算情報に基づいて搬出商品に対応する企業に対する精算が行われるようにすることができる。精算情報は、搬出が完了した場合、計算されるべき金額に対する情報を含むことができる。このような場合、搬出の状態に応じてリアルタイムで精算が完了されることで、精算にかかる時間のため発生される面倒が解決されることができる。
【００５１】
実施例で、プロセッサ１２０は、物流倉庫に再入庫される商品情報を確認することができる。プロセッサ１２０は、確認された商品情報及び確認された商品情報に対応する状態情報を基に再入庫される商品のうち、少なくとも一つの追加搬出情報を生成することができる。
【００５２】
具体的に、プロセッサ１２０は、顧客によって払い戻しされ、物流倉庫に再入庫される商品に対する情報を確認することができる。プロセッサ１２０は、再入庫された商品が確認されると、確認された商品に対する状態情報を確認することができる。ここで、確認される状態情報は、再入庫された商品と同一の商品に対する搬出要請があったのか、搬出要請に応じた搬出処理段階がどの程度まで進んでいたか、及び搬出要請数量と実際に搬出される商品の数量の間に差が存在するのかのうちの少なくとも一つに関連されることができる。
【００５３】
プロセッサ１２０は、確認された状態情報に基づいて再入庫される商品のうち、少なくとも一つに対する追加搬出情報を生成することができる。
【００５４】
実施例で、プロセッサ１２０は、確認された商品情報に対応する商品の状態情報が第１状態情報を含むか否かを確認することができる。プロセッサ１２０は、商品の搬出状態が第１状態情報を含む場合、確認された商品情報に対する追加搬出情報を生成することができる。第１状態情報は、例えば搬出完了前であり、実際搬出される商品の数量が搬出要請数量に満たない状態を示す情報を含むことができる。搬出完了前は搬出対象商品が業者に配送される前の状態を含むことができる。
【００５５】
具体的には、例えば、プロセッサ１２０は、確認された状態情報が搬出完了前であり、実際搬出される商品の数量が搬出要請数量に満たない場合を示す情報が含む場合、再入庫される商品のうち少なくとも一つに対する追加搬出情報を生成することができる。生成された追加搬出情報は再入庫される商品全体の数量のうち搬出要請数量の満足のために追加で搬出されるべき数量だけに対する可能性がある。例えば、再入庫された商品が２個であっても、搬出要請数量に未達した商品の数が１個である場合、追加搬出情報は１個の再入庫された商品に対するものである可能性がある。
【００５６】
図２は、一実施形態による電子装置の制御方法のフローチャートである。図２に図示された方法の各段階は、必要に応じて図面に図示されたこととその順序を変えて随行されることができる。以下では、先に図１で述べた内容と重複する内容が省略されることができる。
【００５７】
図２を参照すると、段階２１０で、電子装置は、物流倉庫に配置された商品に関連する搬出要請情報を獲得することができる。搬出要請情報は、物流倉庫内に配置された商品のうち、商品を提供した業者に再び返品されるべき商品に対する情報であり、搬出対象商品の商品名、数量及び搬出期限のうち少なくとも一つに対する情報を含むことができる。
【００５８】
実施例で、搬出要請情報は、他の装置から転送されることに基づいて、電子装置が獲得するものであり得る。しかし、これに制限されるものではなく、ユーザーの入力に基づいて、電子装置で生成されるものであり得る。
【００５９】
段階２２０で、電子装置は、搬出要請情報を基に業者別に搬出情報を生成することができる。電子装置は、搬出要請情報を獲得すると業者別に搬出商品を区分して業者別搬出情報を生成することができる。場合によって、電子装置は業者別搬出情報のそれぞれを商品の位置に区分することができる。例えば、電子装置は第１業者の搬出対象商品が２つの位置に区分されて配置された場合、第１業者に対する搬出情報として、第１搬出情報及び第２搬出情報を生成することができる。互いに別の搬出情報が生成されるほど区分されるのは、商品の位置が特定の距離以上離れている場合であることができる。
【００６０】
段階２３０で、電子装置は、搬出情報のうち少なくとも一つを端末に提供することができる。ここで、端末は、あらかじめ指定された複数の端末のうち選択された一つの端末を含むことができるが、これに制限されるものではない。
【００６１】
実施例で、搬出情報は、搬出の段階ごとに区分されて生成されることができる。例えば、第１業者の第１商品に対する搬出情報としてピッキング段階及び上車段階に区分され、搬出情報が生成されることができる。このような場合、ピッキングの段階の搬出情報は、第１端末に提供されて上車段階の搬出情報は、第２端末に提供されることができる。
【００６２】
段階２４０で、電子装置は、搬出情報に対応して搬出処理応答情報を受信することができる。搬出処理応答情報は、端末によって生成されたものであり得る。例えば、搬出情報が、第１商品ｎ個に対してピッキングを随行するような情報を含む場合、搬出処理応答情報は、ピッキングが完了された商品の数量及びピッキング完了された状態を示すイメージに対する情報を含むことができる。
【００６３】
段階２５０で、電子装置は、搬出処理応答情報に対応する商品の状態情報を生成することができる。電子装置は、搬出処理応答情報が示す搬出状態に応じた商品の状態情報を生成することができる。例えば、電子装置は、搬出処理応答情報に第１商品ｋ個のピッキングが完了されたという情報が含まれた場合、第１商品のｋ個の状態がピッキング完了状態であることを示す状態情報を生成することができる。
【００６４】
図３は、一実施例に係る電子装置の搬出情報の例を説明するための図である。具体的には、図３は業者別に区分された搬出情報が表示される例を示す。
【００６５】
搬出情報３１１は、図３に示されたように業者別に区分されて表示されることができる。搬出情報３１１は、例えば、搬出要請情報が獲得された日時を示す搬出指示生成日時、搬出期限を示す搬出締切日時、搬出対象商品に対応する業者名、搬出要請数量に対する情報を含むことができる。
【００６６】
電子装置には、商品の状態情報３１３が表示されることができる。商品の状態情報３１３は、図示されたように、搬出情報３１１に関連して、すなわち、搬出情報３１１に対応する形態で表示されることができるが、これに制限されるものではない。
【００６７】
実施例で、搬出情報は業者別に区分されることに対応して、業者別搬出情報の管理のための搬出グループ番号、外部搬出番号、および内部搬出番号が付与されることができるが、これに制限されるものではない。
【００６８】
状態情報３１３は、例えば、商品別、現在の時点の搬出状態（例：搬出完了、上車準備完了）、ピッキングが完了された数量を示す集品完了数量、トラックに商品が上車されて業者に配送された数量を示す搬出完了数量、搬出が要請された数量と実際に搬出された数量の間の差を示す、未上車問題数量に対する情報を含むことができる。状態情報３１３は、実施例に基づいてより具体的な形態で提供されることができ、このような例は、図４を参照することができる。
【００６９】
実施例で、物流倉庫に配置される商品は業者との契約方式に基づいて、複数の類型が存在することができる。例えば、第１類型の場合には、業者から売買代金を払われていない状態で物流倉庫に単に商品を保管する場合、第２類型の場合は、業者に売買代金を支払った後、物流倉庫に保管して返品時に再び売買代金が返還される場合を含むことができる。電子装置は、このような商品の種類に対する情報を格納することができ、返品の状態に応じて、類型別精算を随行することができる。例えば、第１類型の商品は、実際の代金の交換のない精算を随行し、第２類型の場合は、実際の代金の交換を基に精算を随行することができる。一方、このような精算は搬出処理応答情報の確認に対応して行われることができ、これに関連しては前述したため、具体的な内容は省略する。
【００７０】
図４は、一実施例に係る電子装置で生成される商品の状態情報の例を説明するための図である。具体的には、図４はより具体的な形態で表示される状態情報の例を示す。
【００７１】
図４を参照すると、状態情報は、集品（またはピッキング）が完了した時刻を示す集品完了日時、集品数量、集品が随行されることに基づいて商品が入れられたトート（ｔｏｔｅ）が配置されたコンテナを示すコンテナバーコード、上車が完了されたことに対応して上車完了時点を示す上車完了日時、上車された車両の情報である車両番号／送り状番号に対する情報を含むことができる。
【００７２】
実施例で、同一の商品であっても搬出情報が異なる場合、状態情報は搬出情報別に区分されて表示されることができる。
【００７３】
図５は、一実施形態に係る電子装置で端末に情報が送信されることに基づいて、端末に提供される画面の例を説明するための図である。
【００７４】
図５の参照番号５１０は、搬出情報が端末に転送されることに基づいて、端末の作業者が搬出のためのピッキング作業を随行するとき提供される画面の例を示す。参照番号５１０によると、搬出ピッキングの開始に先立って、端末は商品を入れるトートを認識するように要請する情報を提供することができる。
【００７５】
トートが認識されるに対応して端末は、参照番号５２０のように商品をピッキングする位置に対する情報を要請することができる。ユーザーの入力に対応してピッキングする商品の位置、例えば、１４Ｂが確認されることができる。場合によって、一つの位置、例えば、１４Ｂには複数の商品が複数の通路に配置されていることができる。このような場合、参照番号５３０のようにピッキングする商品が配置された通路に対する情報が要請されることができる。
【００７６】
ユーザーの入力によりピッキングする商品が位置された通路、例えば１５が選択されることができ、このような場合、通路に対応して設けられたバーコードの認識を要請する情報が参照番号５４０のように表示されることができる。
【００７７】
図６ないし図８は、一実施例に係る電子装置で用いられる搬出処理応答情報を説明するための図である。
【００７８】
具体的に図６は、商品をピッキングする位置が確定されたことに基づいて表示される画面の例を示す。
【００７９】
例えば、図５のように商品をピッキングする位置が確定されると、該当位置に配置された商品に対する情報が参照番号６１０のように端末に表示されることができる。商品がトートに入れられる場合、端末のユーザーによってトートに移された商品の数量に対する情報が入力されて、参照番号６２０のような画面が端末に表示されることができる。トートに商品入れが完了されたことに対応して「商品入れ完了」ボタンに対する入力が与えられることができる。
【００８０】
実施例で、トートに入れられる商品は同一の業者の商品であることができる。このような場合、トート別に商品管理が随行されることによって搬出管理がより効果的に行われることができる。
【００８１】
このような場合、参照番号６３０のようにトートの積載状態を確認するための画面が表示されることができる。トートがいっぱいになったことを示すボタン、例えば「はい、入れられる空間がありません。」に対する入力が受信されることに対応して、端末には参照番号６４０のような画面が表示されることができる。参照番号６３０を基に入力が受信されることに対応して、端末は搬出処理応答情報を生成して、電子装置へ生成された情報を転送することができる。搬出処理応答情報は、例えば、ピッキングが完了された商品名、ピッキング完了日時、ピッキングされた商品の数量に対する情報を含むことができる。端末には、参照番号６４０のような画面が表示されることができる。
【００８２】
図７は、搬出要請数量と実際に搬出処理が随行される商品の数量の間に差がある場合に関連して端末に表示される画面の例を示す。
【００８３】
図７の参照番号７１０は、図６の参照番号６２０と類似した画面であることができる。例えば、参照番号７１０は、ピッキングした商品の数量の入力を要請する画面であることができる。ただし、場合によって搬出情報に基づいて搬出が要請される商品の数量と実際に物流倉庫に配置された商品の数量が異なることができる。例えば、搬出が要請される商品の数量は５０個であるが、実際に物流倉庫に配置された商品の数量は３７個であることができる。このような場合、端末は３７個の商品が確認されることを示す入力、例えば、３７個の商品の入力後の商品入れ完了を示すボタンに対する入力を受信することができる。
【００８４】
このような場合、参照番号７２０のようにピッキング数量が不足する原因の入力を要請する画面が表示されることができ、これに対する入力に基づいて、搬出処理応答情報が生成されることができる。例えば、ピッキング数量が不足する原因で「商品の数量が不足」という入力が受信される場合、搬出処理応答情報は不足する数量に対する情報、搬出処理すなわちピッキングが完了された商品の数量に対する情報を含むように生成されることができる。生成された搬出処理応答情報は、端末から電子装置に転送されることができる。端末には、参照番号７３０のような画面が表示されることができる。
【００８５】
図８は、上車の作業が随行される場合、端末に提供される画面の例を示す。
【００８６】
図８の参照番号８１０は、上車の作業の随行が完了されることに対応して担当者情報が確認される例を示す。具体的には、搬出対象商品は業者に転送されるため、トラックに移されることができる。すなわち、物流倉庫から業者に転送される最終段階で搬出対象商品は、トラックの運転手に引き受けられることができる。このような場合、端末にはトラックの運転手である引き受け担当者の署名を入力するための画面が参照番号８１０のように表示されることができる。
【００８７】
場合によって、搬出処理応答情報は、イメージ情報を含むことができる。例えば、上車段階では、商品がトラックに移された状態を撮影したイメージ情報、トラックを表すイメージ情報、商品の運送が宅配業者を介して行われる場合は、送り状を示すイメージ情報が搬出処理応答情報に含まれることができる。このような場合、搬出処理応答情報に含まれるイメージ情報を要請する参照番号８２０のような画面が端末に提供されることができる。
【００８８】
イメージ情報がアップロードされることに基づいて、参照番号８３０のような画面が端末に表示されることができる。上車段階が完了された場合、上車が完了されたことを示す入力を要請する参照番号８４０のような画面が表示され、上車完了入力、例えば「確定」の入力が受信されることができる。端末は、入力の受信に基づいて、上車完了情報を生成し、搬出処理応答情報に含ませて、電子装置に転送することができる。
【００８９】
図９は、一実施例に係る電子装置で搬出商品に関連するエラーが発生したことにより、提供される情報の例を説明するための図である。
【００９０】
具体的には、図９は、搬出要請情報に応じた商品の数量と実際の搬出が行われる商品の数量が異なる場合、電子装置に表示される画面の例を示す。
【００９１】
電子装置は、図５ないし図８のような過程を経て、端末から搬出処理応答情報を受信することができる。受信された搬出処理応答情報は、実際の搬出処理が随行された商品に対する情報を示すもので、場合によって搬出処理応答情報は、搬出情報と異なることがある。このような状況は、様々な原因によって発生することができる。例えば、上記原因は、電子装置に既格納された商品の数量にエラーがある場合であるか、端末によって入力される情報にエラーがある場合を含むことができる。
【００９２】
このような場合、図９のようにエラーの原因を示す情報が問題種類９０１で表示されることができる。エラーの原因を示す情報は、例えば数量不足、商品バーコードのスキャン不可を含めることができるが、これらに制限されるものではない。また、搬出処理応答情報と搬出情報の間の差に対する情報９０３が表示されることができる。
【００９３】
図１０は、一実施例に係る電子装置で搬出商品の上車が完了されることに対応して獲得される情報の例を説明するための図である。
【００９４】
図１０を参照すると、搬出商品の上車が完了される場合、搬出商品を引き受けた担当者に対する情報及び搬出商品に対する情報が１つのページを介して提供されることができる。このようなページは、一種の搬出確認書として活用されることができる。
【００９５】
実施例で、図１０のような情報は、業者の電子装置に転送されることができ、これにより、業者は上車が完了されて、搬出商品が倉庫から出発し業者に移動していることを確認することができる。
【００９６】
一方、上車段階は、搬出商品をトラックに載せる段階に対応することができ、場合によって、他の用語、例えば、配送段階として呼ばれることもあるが、このような用語に制限されない。
【００９７】
図１１及び図１２は、一実施例に係る電子装置で搬出処理応答情報を基に既格納された商品の数量情報をアップデートする例を説明するための図である。
【００９８】
図１１は、電子装置に既格納された商品の数量と実際の物流倉庫に配置された商品の数量に差があることに基づいて、搬出情報の商品の数量と搬出処理応答情報の商品の数量が差がある場合、電子装置に表示される画面の例を示す。
【００９９】
図１１を参照すると、電子装置の画面には、仮想上車ボタン１１０１が表示されることができる。仮想上車は、実際の商品の数量と電子装置に既格納された商品の数量を合わせるための機能であることができる。図１１の仮想上車ボタン１１０１に対する入力が受信されると、電子装置には電子装置に既格納された商品の数量を調整するための画面が表示されることができ、このような画面の例は、図１２を参照することができる。
【０１００】
具体的には、図１２は、商品Ｃに対応する仮想上車ボタンに対する入力が受信される場合に表示される画面であることができる。
【０１０１】
図１２を参照すると、仮想上車を通じて調節されることができる商品の数量は搬出要請数量以下であることができ、このような情報が表示されることができる。仮想上車数量欄には、テキスト形式で上車が完了されたものと調整する商品の数量が入力されることができる。
【０１０２】
実施例で、図１２のように搬出要請数量が２であり、仮想上車量に「２」が入力される場合、すべての搬出の商品の搬出が完了されたことで既格納された商品の数量がアップデートされることができる。ただし、これに制限されるものではなく、場合によって、仮想上車数量に入力される数だけ搬出要請数量が減少するように、データは調整されることもできる。
【０１０３】
前述した実施例に係る電子装置は、プロセッサ、プログラムデータを格納して実行するメモリ、ディスク・ドライブのような永続的に格納部（ｐｅｒｍａｎｅｎｔ  ｓｔｏｒａｇｅ）、外部装置と通信する通信ポート、タッチパネル、キー（ｋｅｙ）、ボタンなどのユーザーインターフェース装置などを含むことができる。ソフトウェアモジュールまたはアルゴリズムで具現される方法は、上記のプロセッサ上で実行可能なコンピュータが読み取り可能なコード又はプログラム命令たちとしてコンピュータが読み取り可能な記録媒体上に格納されることができる。ここで、コンピュータが読み取り可能な記録媒体として磁気記録媒体（例えば、ＲＯＭ（ｒｅａｄ−ｏｎｌｙ  ｍｅｍｏｒｙ）、ＲＡＭ、（ｒａｎｄｏｍ−Ａｃｃｅｓｓ  ｍｅｍｏｒｙ）、フロッピーディスク、ハードディスクなど）、および光学的読み取り媒体（例えば、ＣＤ−ＲＯＭ（ＣＤ−ＲＯＭ  ）、ディブイディ（ＤＶＤ：Ｄｉｇｉｔａｌ  Ｖｅｒｓａｔｉｌｅ  Ｄｉｓｃ））などがある。コンピュータが読み取り可能な記録媒体は、ネットワークで連結されたコンピュータシステムに分散されて、分散方式でコンピュータが読み取り可能なコードが格納され、実行されることができる。媒体は、コンピュータによって読み取り可能であり、メモリに格納され、プロセッサで実行することができる。
【０１０４】
本実施例は、機能的なブロック構成及び様々な処理段階で表されることができる。これらの機能ブロックは、特定の機能を実行する様々な個数のハードウェアおよび／またはソフトウェアの構成に具現されることができる。例えば、実施例は、１つ以上のマイクロプロセッサの制御や他の制御装置によって、様々な機能を実行することができる、メモリ、プロセシング、ロジック（ｌｏｇｉｃ）、ルックアップテーブル（ｌｏｏｋ−ｕｐ  ｔａｂｌｅ）などのような集積回路構成を採用することができる。構成要素がソフトウェアプログラミングまたはソフトウェア要素で実行されることができるのと同様に、本実施例では、データ構造、プロセス、ルーチンまたは他のプログラミング構成の組み合わせで具現される様々なアルゴリズムを含んで、Ｃ、Ｃ  ＋＋、Ｊａｖａ（  Ｊａｖａ）、アセンブラ（ａｓｓｅｍｂｌｅｒ）などのようなプログラミングまたはスクリプト言語で具現されることができる。機能的な側面は、１つ以上の複数のプロセッサで実行されるアルゴリズムで具現されることができる。また、本実施例は、電子的な環境の設定、信号処理、および／またはデータ処理などのために、従来の技術を採用することができる。「メカニズム」、「要素」、「手段」、「構成」のような用語は、広く使用することができ、機械的で、物理的な構成たちとして限定されるものではない。上記用語は、プロセッサなどと連携して、ソフトウェアの一連の処理の（ｒｏｕｔｉｎｅｓ）の意味を含むことができる。
【０１０５】
前述した実施例は、一例示であり、後述する請求項の範囲内で他の実施例が具現されることができる。
【符号の説明】
【０１０６】
１００：電子装置
１１０：メモリ
１２０、２３０：プロセッサ
３１１：搬出情報
３１３： 商品の状態情報
１１０１： 仮想上車ボタン
【要約】
【課題】搬出要請情報を基に業者別搬出情報を生成し、これを基に搬出が行われるようにすることで、業者に搬出情報提供を容易にするようにして、業者別搬出商品管理が効果的に行われるようにする電子装置及びその制御方法を提供する。
【解決手段】本開示によると、物流倉庫に配置された商品に関連する搬出要請情報を獲得する段階と、上記獲得された搬出要請情報を基に業者別に搬出情報を生成する段階と、上記生成された搬出情報のうち少なくとも一つを端末に提供する段階と、上記端末から上記提供された搬出情報に対応して搬出処理応答情報を受信する段階と、前記搬出処理応答情報に対応する商品の状態情報を生成する段階を含む物流倉庫の搬出を管理する電子装置の制御方法を提供することができる。
【選択図】図２【図１】
0006987961.tif 000002
【図２】
0006987961.tif 000003
【図３】
0006987961.tif 000004
【図４】
0006987961.tif 000005
【図５】
0006987961.tif 000006
【図６】
0006987961.tif 000007
【図７】
0006987961.tif 000008
【図８】
0006987961.tif 000009
【図９】
0006987961.tif 000010
【図１０】
0006987961.tif 000011
【図１１】
0006987961.tif 000012
【図１２】
0006987961.tif 000013